【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
複数の操作ボタンを並べて配置し、各操作ボタンを介して基板上の各スイッチが押圧可能に構成されている電子装置において、
前記複数の操作ボタンのうちの２つの操作ボタンを離間して連結すると共に弾性力により押圧された操作ボタンを復帰させる連結部を有し、
当該連結部は前記複数のボタンのうちの前記２つの操作ボタンの間に配置される操作ボタンの下に位置することを特徴とする電子装置。
【請求項２】
前記２つの操作ボタンの間に配置される操作ボタンは、被押圧面であるキートップの裏面に前記連結部が位置する切欠き部を有することを特徴とする請求項１に記載の電子装置。
【請求項３】
各操作ボタンは、それぞれ被押圧面であるキートップと、当該キートップに垂直に延びて前記スイッチを押圧可能なスイッチ押圧部と、を有し、
前記スイッチ押圧部は、発光素子からの光を導光する導光部材と一体に構成されていることを特徴とする請求項１に記載の電子装置。
【請求項４】
複数の操作ボタンを並べて配置し、各操作ボタンを介して基板上の各スイッチが押圧可能に構成されている電子装置において、
少なくとも２つの操作ボタンと、２つの操作ボタンを離間して連結する連結部と、をそれぞれ有する２つのボタンユニットを有し、
当該２つのボタンユニットは各ボタンユニットの操作ボタンが交互に配置されるように組み合わされ、
前記２つのボタンユニットの一方のボタンユニットの連結部は前記２つのボタンユニットの他方のボタンユニットのいずれかの操作ボタンの下に配置され、前記２つのボタンユニットの前記他方のボタンユニットの連結部は前記２つのボタンユニットの前記一方のボタンユニットのいずれかの操作ボタンの下に配置されることを特徴とする電子装置。
【請求項５】
各操作ボタンは、被押圧面であるキートップに垂直に延びて前記スイッチを押圧可能なスイッチ押圧部を有し、
前記２つのボタンユニットの各連結部は前記スイッチ押圧部の中心を通り、前記操作ボタンの列方向に平行な方向に関して反対側に配置されることを特徴とする請求項４に記載の電子装置。
【請求項６】
請求項１乃至５のうちいずれか一項に記載の電子装置を有することを特徴とする電子機器。
【請求項７】
請求項４に記載の電子装置と、当該電子装置の少なくとも一部を収納する筐体と、を有し、
各操作ボタンは被押圧面であるキートップに垂直に延びて前記スイッチを押圧可能なスイッチ押圧部を有し、前記筐体は前記スイッチ押圧部を前記スイッチに案内する穴部を有することを特徴とする電子機器。
【請求項８】
請求項４に記載の電子装置と、当該電子装置の少なくとも一部を収納する筐体と、を有し、
各操作ボタンは被押圧面であるキートップに垂直に延びる係止部を有し、前記筐体は前記係止部が挿入される穴部を有することを特徴とする電子機器。
【請求項９】
請求項４に記載の電子装置と、当該電子装置の少なくとも一部を収納する筐体と、を有し、
前記連結部は前記操作ボタンの被押圧面であるキートップに垂直に延びる突起を有し、前記筐体は前記連結部の前記突起が挿入される穴部を有することを特徴とする電子機器。
【請求項１０】
前記複数の操作ボタンは、前記連結部と一端のみで接続されている第１の操作ボタンと、前記連結部と両端で接続されている第２の操作ボタンと、を有し、
前記連結部は、前記第１の操作ボタンに接続されている端部と前記突起との間の部分を、前記第２の操作ボタンに接続されている端部と前記突起との間の部分よりも大きいことを特徴とする請求項９に記載の電子機器。
【手続補正２】
【補正対象書類名】明細書
【補正対象項目名】発明の名称
【補正方法】変更
【補正の内容】
【発明の名称】電子装置及び電子機器
【手続補正３】
【補正対象書類名】明細書
【補正対象項目名】００２３
【補正方法】変更
【補正の内容】
【００２３】
本実施例は、電子装置２００がデジタルカメラ１００に搭載される際には、ボタンユニット２２０及び２３０は組み合わされる。組み合わせの際には、ボタンユニット２２０の操作ボタン２２２及び２２４とボタンユニット２３０の操作ボタン２３２及び２３４がＸ方向において交互に並ぶように配置される。即ち、図２及び図５に示すように、操作ボタンは、２２２、２３２、２２４及び２３４の順番でＸ方向に一列に並ぶ。ここで、図５は、電子装置２００におけるボタンユニット２２０及び２３０の操作ボタン２２２、２２４、２３２及び２３４の配置を示す拡大平面図である。
【手続補正４】
【補正対象書類名】明細書
【補正対象項目名】００２４
【補正方法】変更
【補正の内容】
【００２４】
図６は、電子装置２００におけるボタンユニット２２０及び２３０の表面側の分解斜視図、図７は、電子装置２００におけるボタンユニット２２０及び２３０の背面側の分解斜視図である。また、図８は、電子装置２００におけるボタンユニット２２０及び２３０の拡大底面図、図９は、図５のＡＡ断面図、図１０は、図５のＢＢ断面図である。
【手続補正５】
【補正対象書類名】明細書
【補正対象項目名】００２７
【補正方法】変更
【補正の内容】
【００２７】
操作ボタン２３２は、平坦な被押圧面である上面（キートップ）２３２ｃと、キートップ２３２ｃの裏面である底面２３２ｄと、切欠き部２３２ｄ１と、スイッチ押圧部２３３と、係止部２４０と、を有する。切欠き部２３２ｄ１は、底面２３２ｄのＹ方向上側に設けられ、Ｘ方向に延びる。スイッチ押圧部２３３は、底面２３２ｄの中央に設けられ、キートップ２３２ｃに垂直に延びてスイッチ２１４を押圧可能に構成される。係止部２４０は、底面２３２ｄの端面２３２ａ側の中央の縁部と、端面２３２ｂ側の中央の縁部に設けられる。
【手続補正６】
【補正対象書類名】明細書
【補正対象項目名】００２８
【補正方法】変更
【補正の内容】
【００２８】
操作ボタン２３４は、平坦な被押圧面である上面（キートップ）２３４ｄと、キートップ２３４ｄの裏面である底面２３４ｅと、スイッチ押圧部２３５と、係止部２４０と、を有する。スイッチ押圧部２３５は、底面２３４ｅの中央に設けられ、キートップ２３４ｄに垂直に延びてスイッチ２１８を押圧可能に構成される。係止部２４０は、底面２３４ｅの端面２３４ａ側の中央の縁部と、端面２３４ｂ側の中央の縁部に設けられる。
【手続補正７】
【補正対象書類名】明細書
【補正対象項目名】００３２
【補正方法】変更
【補正の内容】
【００３２】
各係止部２４０は、背面カバー１０４の凹部１０４ａの穴部１０４ｃに挿入される。図９に示すように、穴部１０４ｃは、Ｚ方向に延びる端面１０４ｃ１と、穴部１０４ｃ近傍の凹部１０４ａの背面１０４ｃ２と、上縁部１０４ｃ３と、によって規定されている。挿入時には、各係止部２４０の爪部２４４の斜面２４４ｂが穴部１０４ｃの上縁部１０４ｃ３に接触し、穴部１０４ｃ内に進入する。その際、支持部２４２がＸ方向又は−Ｘ方向に徐々に撓む。挿入後は、支持部２４２は、元の状態に復帰し、穴部１０４ｃのＺ方向の端面１０４ｃ１に接触又は接触可能となる。また、端面２４４ａが背面１０４ｃ２に係止される結果、ボタンユニット２２０及び２３０の−Ｚ方向への移動が規制され、背面カバー１０４から脱落することがなくなる。更に、各操作ボタンはＸ方向の両側に係止部２４０を有し、Ｘ方向の両側において、係止部２４０の支持部２４２と穴部１０４ｃの端面１０４ｃ１とは接触又は接触可能となるため、各操作ボタンのＸ方向及び−Ｘ方向の移動が規制される。
【手続補正８】
【補正対象書類名】明細書
【補正対象項目名】００３９
【補正方法】変更
【補正の内容】
【００３９】
本実施例では、連結部２２６をＹ方向においてスイッチ押圧部２３３よりも下側に設けており、連結部２３６をＹ方向においてスイッチ押圧部２２５よりも上側に設けている。本実施例では、連結部２２６は操作ボタン２３２の底面２３２ｄの切欠き部２３２ｄ１に位置し、連結部２３６は操作ボタン２２４の底面２２４ｄの切欠き部２２４ｄ１に位置する。図６に示すように、操作ボタン２２４において、切欠き部２２４ｄ１が設けられている側と、連結部２２６が接続されている側がスイッチ押圧部２２５に関して反対側であることが理解される。同様に、操作ボタン２３２において、切欠き部２３２ｄ１が設けられている側と、連結部２３６が接続されている側がスイッチ押圧部２３３に関して反対側であることが理解される。
【手続補正９】
【補正対象書類名】明細書
【補正対象項目名】００４３
【補正方法】変更
【補正の内容】
【００４３】
動作において、操作ボタンが押圧されるとスイッチ押圧部が穴部１０４ｂによって案内されてスイッチを押圧する。また、押圧された操作ボタンは、連結部の突起と対応する操作ボタンとの間の接続部との間の弾性力により、原位置に復帰する。電子装置２００は、特許文献１のようなベースと支持部が存在しないのでＹ方向に小型化されている。また、特許文献１のようにケースの突起をベースに挿入しないので、各部の変形を防止することができる。更に、特許文献１のベースとケースとの固定ように接着剤を使用していないので接着剥がれが生じない。
【手続補正１０】
【補正対象書類名】図面
【補正対象項目名】図６
【補正方法】変更
【補正の内容】
【図６】
2009043632.tif 000001